(57)【特許請求の範囲】
【請求項１】
光源が配置される回路基板と、
前記光源から放射された光が透過する第１レンズ部材と、
前記第１レンズ部材の外周に位置するレンズホルダと、
前記レンズホルダに固定され、前記第１レンズ部材を前記回路基板に向けて付勢する第１板ばね部材と、
前記第１板ばね部材における前記第１レンズ部材に付勢する方向と反対方向に位置し、弾性域にて弾性変形する前記第１板ばね部材に当接することで前記第１板ばね部材の塑性変形を抑制する第１ストッパ部と、を備え、
前記レンズホルダは、前記第１板ばね部材に設けられた一対の第１挟持片が固定される第１側壁を有することを特徴とする、
照明装置。
【請求項２】
光源から放射された光が透過する第１レンズ部材と、
前記第１レンズ部材の外周に位置するレンズホルダと、
前記第１レンズ部材を透過した光を集光する第２レンズ部材と、
前記第２レンズ部材の外周に位置するカバーと、
前記カバーに固定され、前記第２レンズ部材を前記レンズホルダに向けて付勢する第２板ばね部材と、
前記第２板ばね部材における前記第２レンズ部材に付勢する方向と反対方向に位置し、弾性域にて弾性変形する前記第２板ばね部材に当接することで前記第２板ばね部材の塑性変形を抑制する第２ストッパ部と、を備え、
前記カバーは、前記第２板ばね部材に設けられた一対の第２挟持片が固定される第２側壁を有することを特徴とする、
照明装置。
【請求項３】
前記レンズホルダは、一面が開放された箱状であり、底壁に第１開口部が設けられ、
前記第１レンズ部材を透過した光を集光する第２レンズ部材は、前記第１開口部を覆うように配置され、
前記第１板ばね部材は、
前記第１挟持片から前記レンズホルダの内側に向かって延出する第１延出片と、
前記第１延出片の先端部から前記底壁へ向かう方向へ延出する第２延出片と、を有し、
前記第１板ばね部材の前記第１延出片の先端部は、前記第１レンズ部材の一部に当接し、
前記第１ストッパ部は、前記レンズホルダ内において前記底壁側から前記第２延出片の先端部に対向する形で配置されていることを特徴とする、
請求項１に記載の照明装置。
【請求項４】
前記カバーは、一面が開放された箱状であり、底壁に第２開口部が設けられ、
前記第２レンズ部材は、レンズ部と前記レンズ部の外周部に設けられたフランジ部とを有し、
前記第２板ばね部材は、
前記第２挟持片から延出する第３延出片と、
前記第３延出片の先端部から前記カバーの底壁に近づく方向へ延出する第４延出片と、を有し、
前記第２板ばね部材の前記第３延出片の先端部は、前記フランジ部に当接していることを特徴とする、
請求項２に記載の照明装置。
【請求項５】
複数の固定部材により前記レンズホルダが固定される取付面を有するヒートシンクを更に備え、
前記ヒートシンクの前記取付面には、前記レンズホルダの位置を規定する位置決め用孔が形成され、
前記レンズホルダは、先端部が前記位置決め用孔に嵌入される形で前記レンズホルダが前記取付面上に配置されることにより前記レンズホルダの位置決めを行うことができる位置決め用突起部を有し、
前記位置決め用突起部のうち前記位置決め用孔に嵌入された部分の長さは、前記レンズホルダが前記取付面に対して所定の角度だけ傾いた場合に前記位置決め用孔から離脱しない長さに設定されていることを特徴とする、
請求項１から４のいずれか１項に記載の照明装置。
【発明の詳細な説明】
【技術分野】
【０００１】
本発明は、照明装置に関する。
【背景技術】
【０００２】
車両に搭載される照明装置として、レンズとレンズを保持するケース体とを備える照明装置が提案されている（例えば特許文献１参照）。この照明装置では、ケース体が樹脂から形成されている。また、この場合、照明装置はヘッドアップディスプレイ装置に搭載されたバックライトユニットとして構成されるものであり、当該照明装置から出射される表示光は、液晶表示パネルおよび反射ミラーを経てウインドシールドに照射され、車両を運転する運転者は、この照射によって得られた表示像を視認することができる。
【先行技術文献】
【特許文献】
【０００３】
【特許文献１】特開２０１１−１９１７２３号公報
【発明の概要】
【発明が解決しようとする課題】
【０００４】
しかしながら、特許文献１に記載された照明装置では、ケース体が樹脂から形成されているため、ケース体内部に収納された光源で発生する熱やケース体に照射される太陽光の熱によりケースが比較的変形し易い。そうすると、ケースの変形に伴い、ケースに保持されているレンズの位置がずれてしまう虞がある。
【０００５】
本発明は、上記事由に鑑みてなされたものであり、レンズの位置ずれが抑制される照明装置を提供することを目的とする。
【課題を解決するための手段】
【０００６】
上記目的を達成するため、本発明に係る照明装置は、
光源が配置される回路基板と、
前記光源から放射された光が透過する第１レンズ部材と、
前記第１レンズ部材の外周に位置するレンズホルダと、
前記レンズホルダに固定され、前記第１レンズ部材を前記回路基板に向けて付勢する第１板ばね部材と、
前記第１板ばね部材における前記第１レンズ部材に付勢する方向と反対方向に位置し、弾性域にて弾性変形する前記第１板ばね部材に当接することで前記第１板ばね部材の塑性変形を抑制する第１ストッパ部と、を備え、
前記レンズホルダは、前記第１板ばね部材に設けられた一対の第１挟持片が固定される第１側壁を有することを特徴とする。
【発明の効果】
【０００７】
本発明によれば、レンズの位置ずれが抑制される照明装置を提供できる。
【図面の簡単な説明】
【０００８】
【図１】本発明の実施の形態に係る照明装置の斜視図である。
【図２】実施の形態に係る照明装置の平面図である。
【図３】実施の形態に係る照明装置の図２のＡ−Ａ線における断面矢視図である。
【図４】実施の形態に係る第１板ばね部材が固定されたレンズホルダの斜視図である。
【図５】実施の形態に係る照明装置の図２のＢ−Ｂ線における断面矢視図である。
【図６】実施の形態に係る第２板ばね部材が固定されたカバーの斜視図である。
【図７】実施の形態に係る照明装置について、カバーのレンズホルダへの取り付け方法を示す分解斜視図である。
【図８】実施の形態に係る照明装置の一部を示す断面図である。
【図９】実施の形態に係る照明装置の図３の一点鎖線Ｐ１で囲んだ部分の拡大図であり、（Ａ）は通常状態を示す図であり、（Ｂ）はレンズアレイが上方へ移動した状態を示す図である。
【図１０】実施の形態に係る照明装置の図３の一点鎖線Ｐ２で囲んだ部分の拡大図であり、（Ａ）は通常状態を示す図であり、（Ｂ）は集光レンズが上方へ移動した状態を示す図である。
【図１１】実施の形態に係る照明装置のヒートシンクを取り除いた状態を示す斜視図である。
【図１２】実施の形態に係る照明装置の図２のＣ−Ｃ線における断面矢視図である。
【図１３】変形例に係る照明装置の一部を示す断面図である。
【発明を実施するための形態】
【０００９】
以下に、本発明の一実施形態に係る照明装置について添付図面を参照しながら説明する。この照明装置は、例えばヘッドアップディスプレイ装置に搭載されたバックライトユニットとして構成されるものであり、当該照明装置から出射される表示光は、ここでの詳細図示は省略するが、液晶表示パネルおよび反射ミラーを経てウインドシールドに照射され、車両を運転する運転者は、この照射によって得られた表示像（虚像）を風景と重畳させて視認することができる。照明装置は、図１および図２に示すように、装置本体１と、装置本体１が固定されるヒートシンク２と、を備える。装置本体１は、ＬＥＤ（光源：Light Emitting Diode）が実装された回路基板１１と、回路基板１１を覆うように配置されたレンズホルダ１２と、集光レンズ（第２レンズ部材）１６と、カバー１４と、を備える。ヒートシンク２は、レンズホルダ１２が取り付けられる取付面２ａを有する。そして、レンズホルダ１２は、４つの螺子（固定部材）２１によりヒートシンク２の取付面２ａに固定されている。以下、適宜、回路基板１１、レンズホルダ１２および集光レンズ１６が重なる方向における集光レンズ１６側を上側、回路基板１１側を下側として説明する。
【００１０】
また、装置本体１は、更に、図３に示すように、レンズアレイ（第１レンズ部材）２４と、拡散板２２と、レンズホルダ１２に固定された第１板ばね部材２５と、カバー１４に固定された第２板ばね部材２３と、を備える。
【００１１】
回路基板１１は、ヒートシンク２に放熱シート（図示せず）を介して接している。回路基板１１は、ガラスエポキシ基板やガラスコンポジット基板等から構成され、ＬＥＤの実装面に導電パターンが形成されている。回路基板１１の一部には、回路基板１１の位置決め用の貫通孔１１１が設けられている。
【００１２】
レンズアレイ２４は、透光性の樹脂材料から形成され、回路基板１１の上側を覆うように配置されている。レンズアレイ２４は、回路基板１１に実装されたＬＥＤに対向して位置し、ＬＥＤから放射された光を透過させる。レンズアレイ２４は、レンズアレイ本体２４０と支柱部２４１、２４２、２４３とを有する。レンズアレイ本体２４０は、下側が開放された扁平薄型な矩形箱状であり、上側にマトリクス状に複数のレンズ部２４０ａが形成されている。支柱部２４１、２４２、２４３は、レンズアレイ本体２４０の下面において、下側に向かうにつれて小径となる円錐台に形成される。支柱部２４１、２４２、２４３は、レンズアレイ本体２４０と回路基板１１とが離間した状態でレンズアレイ本体２４０を支持する。支柱部２４１、２４３の先端面には、レンズアレイ２４の位置決め用の突起部２４４、２４５が設けられている。突起部２４４、２４５は、それぞれ、先端が先細りした円柱状に形成されている。突起部２４４は、回路基板１１の貫通孔１１１に挿通された状態でヒートシンク２に設けられた位置決め用の孔２０１に嵌入されている。また、突起部２４５もヒートシンク２に設けられた位置決め用の孔２０３に嵌入されている。
【００１３】
ケースとしてのレンズホルダ１２は、その上方に集光レンズ１６を保持し、レンズホルダ１２の内部において、第１板ばね部材２５を介してレンズアレイ２４を保持する。レンズホルダ１２は、図４に示すように、一面が開放された平面視略矩形の箱状であり、底壁１２０ａに矩形状の開口部（第１開口部）１２０ｃが設けられている。レンズホルダ１２の平面視における中心を挟んで対向する２つの角部近傍それぞれには、レンズホルダ１２のヒートシンク２に対する位置決め用の突起部（位置決め用突起部）１２１が設けられている。突起部１２１は、先細りの円柱状に形成されている。
【００１４】
レンズホルダ１２は、底壁１２０ａを囲む４つの側壁のうち、互いに対面する、短い１対の側壁１２０ｂを備える。各側壁１２０ｂには、第１板ばね部材２５の塑性変形を規制するストッパ部（第１ストッパ部）１２２が設けられている。ストッパ部１２２は、レンズホルダ１２と一体に形成され、第１板ばね部材２５におけるレンズアレイ２４に付勢する方向と反対方向（上方向）に位置し、第１板ばね部材２５に当接することで、弾性域にて弾性変形する第１板ばね部材２５の塑性変形を抑制する。ストッパ部１２２は、底壁１２０ａの各角部に位置し、側壁１２０ｂに直交する方向に長い中空の長方形柱状に形成されている。底壁１２０ａの上面には、集光レンズ１６を保持する保持部１２６と、集光レンズ１６および拡散板２２の位置決め用の突起部１２３と、が設けられている。突起部１２３は、円柱状の基台部の上面に先細りの円柱状の突出部が設けられてなる形状を有し、底壁１２０ａの上面に，設けられている。保持部１２６は、矩形板状の形状を有し、底壁１２０ａの上面における突起部１２３の両側に設けられている。また、レンズホルダ１２の底壁における開口部１２０ｃの外周部には、平面視矩形状の４つの貫通孔１２５が設けられている。各貫通孔１２５には、後述のカバー１４の脚部１４２が挿通される。
【００１５】
第１板ばね部材２５は、レンズホルダ１２に固定され、レンズアレイ２４を、レンズアレイ２４が固定される対象（回路基板１１）に向けて付勢する。第１板ばね部材２５は、レンズホルダ１２の側壁１２０ｂに固定される固定片２５１と、固定片２５１の２箇所から延出する第１延出片２５２と、第１延出片２５２の先端部から延出する第２延出片２５３と、を有する。この第１板ばね部材２５は、１枚の金属板に打ち抜き加工及び曲げ加工を施すことにより形成される。固定片２５１は、図９に示すように、略断面Ｕ字状に形成されるとともに、側壁１２０ｂをその厚さ方向の両側から挟持する挟持片２５１ａ、２５１ｂを有する。第１延出片２５２は、側壁１２０ｂの内面に沿って配置された挟持片２５１ａから、ストッパ部１２２の下面に沿うようにレンズホルダ１２の内側に向かって延出している。第１延出片２５２は、その先端側に向かうにつれて、ストッパ部１２２の下面から遠ざかるように傾斜している。第２延出片２５３は、その先端側に向かうにつれて、ストッパ部１２２の下面に近づくように傾斜している。第１延出片２５２の先端部は、レンズアレイ２４の一部に当接している。また、レンズホルダ１２のストッパ部１２２は、レンズホルダ１２内において底壁１２０ａ側から第２延出片２５３の先端部に対向する形で配置されている。
【００１６】
そして、レンズホルダ１２は、レンズアレイ２４の外周に位置し、レンズアレイ２４をその外周から囲んでいる。そして、レンズホルダ１２は、第１板ばね部材２５の第１延出片２５２の先端部がレンズアレイ２４のレンズアレイ本体２４０に掛止された状態でレンズアレイ２４に支持されている。また、ストッパ部１２２は、レンズホルダ１２内において上側から第２延出片２５３の先端部に対向する形で配置されている。
【００１７】
図３に戻って、拡散板２２は、集光レンズ１６とレンズアレイ２４との間に配置されている。この拡散板２２は、透光性を有する樹脂材料から形成され、少なくとも一面に微細な凹凸加工が施された板状である。拡散板２２は、レンズホルダ１２の上側において、図４に示すレンズホルダ１２の開口部１２０ｃを覆うように配置されている。また、拡散板２２の周部には、図３に示すように、拡散板２２の位置決め用の貫通孔２２１が設けられている。この貫通孔２２１には、レンズホルダ１２の突起部１２３が挿通される。
【００１８】
集光レンズ１６は、拡散板２２の上方に位置し、カバー１４内において、ＬＥＤから放射される光の進行方向から見てレンズホルダ１２の開口部１２０ｃ（図４参照）を覆うように配置される。集光レンズ１６は、拡散板２２を介して、レンズアレイ２４に対向して配置され、レンズアレイ２４を透過した光を集光（透過）する。集光レンズ１６は、図５に示すように、レンズ部１６１と、レンズ部１６１の外周部に設けられたフランジ部１６２と、フランジ部１６２の下面から下側に突出し先端部が拡散板２２に当接する円錐台の支柱部１６３と、を有する。支柱部１６３は、レンズ部１６１と拡散板２２とが離間した状態でレンズ部１６１およびフランジ部１６２を支持する。また、フランジ部１６２には、図３に示すように、集光レンズ１６の位置決め用の貫通孔１６４が設けられている。この貫通孔１６４には、レンズホルダ１２の突起部１２３が挿通される。
【００１９】
カバー１４は、集光レンズ１６の外周に位置し、集光レンズ１６を集光レンズ１６の外周から囲んでいる。このカバー１４は、ＬＥＤから放射される光の進行方向と反対方向からレンズホルダ１２に装着される。カバー１４は、図６に示すように、一面が開放された薄型の箱状のカバー本体１４０と、カバー本体１４０の４つの角部それぞれから延出する４つの脚部１４２と、を備える。カバー本体１４０は、底壁１４０ａを囲む４つの側壁のうち、互いに対面する、長い１対の側壁１４０ｂを備える。カバー本体１４０は、底壁１４０ａに平面視矩形状の開口部１４０ｃが設けられ、集光レンズ１６の上側から集光レンズ１６のフランジ部１６２を覆うように配置されている。集光レンズ１６のレンズ部１６１は、カバー１４の開口部１４０ｃを介して外部に露出されている。各脚部１４２の先端部には、脚部１４２がレンズホルダ１２の貫通孔１２５に挿通されると貫通孔１２５の外周部に係合するフック部１４３が設けられている。
【００２０】
ケースとしてのカバー１４は、図７の破線矢印で示すように、４つの脚部１４２がレンズホルダ１２に設けられた４つの貫通孔１２５それぞれに挿入される形でレンズホルダ１２に取り付けられる。このとき、各脚部１４２のフック部１４３が、図８に示すように、レンズホルダ１２の底壁１２０ａの貫通孔１２５の外周部に係合して、カバー１４がレンズホルダ１２に固定される。
【００２１】
このように、カバー１４は、フック部１４３が設けられた脚部１４２を有し、各脚部１４２をレンズホルダ１２の貫通孔１２５に挿通されるだけで、レンズホルダ１２に固定される。従って、カバー１４をレンズホルダ１２に固定するための接着剤やその他固定部材が不要なので、装置本体１の部品点数の削減を図ることができる。
【００２２】
また、カバー本体１４０における開口部１４０ｃの周縁部には、図５に示すように、上側へ突出し集光レンズ１６を保護するための保護リブ１４１が設けられている。この保護リブ１４１の高さは、集光レンズ１６の上端よりも高さＷ１だけ高くなるように設定されている。
【００２３】
このように、カバー本体１４０に保護リブ１４１が設けられていることにより、例えば他の部材が装置本体１の斜め上方から装置本体１に接触した場合において、他の部材と集光レンズ１６との接触が生じにくく集光レンズ１６の破損が抑制される。
【００２４】
第２板ばね部材２３は、集光レンズ１６を、集光レンズ１６が固定される対象（レンズホルダ１２）に向けて付勢する。第２板ばね部材２３は、図６に示すように、カバー本体１４０の側壁１４０ｂに固定される固定片２３１と、固定片２３１から互いに離れる方向へ延出する第３延出片２３２と、第３延出片２３２の先端部から延出する第４延出片２３３と、を有する。この第２板ばね部材２３は、第１板ばね部材２５と同様に、１枚の金属板に打ち抜き加工及び曲げ加工を施すことにより形成される。固定片２３１は、略断面Ｕ字状に形成されるとともに、側壁１４０ｂをその厚さ方向の両側から挟持する挟持片２３１ａ、２３１ｂと、側壁１４０ｂの内面に沿って配置された挟持片２３１ａから延出し底壁１４０ａの内面に沿って配置された主片２３１ｃと、を有する。第３延出片２３２は、その先端側に向かうにつれて底壁１４０ａの内面から遠ざかるように、主片２３１ｃから互いに離れる方向へ延出している。第４延出片２３３は、その先端側に向かうにつれて底壁１４０ａの内面に近づくように傾斜している。また、第３延出片２３２の先端部は、集光レンズ１６のフランジ部１６２に当接している。そして、カバー１４の底壁１４０ａが、カバー１４と一体に形成され、第２板ばね部材２３における集光レンズ１６に付勢する方向と反対方向（上方向）に位置し、第２板ばね部材２３に当接することで、弾性域にて弾性変形する第２板ばね部材２３の塑性変形を抑制するストッパ部（第２ストッパ部）として機能する。
【００２５】
そして、カバー１４は、第２板ばね部材２３の第３延出片２３２の先端部を介して、集光レンズ１６のフランジ部１６２をレンズホルダ１２に向かって付勢している。
【００２６】
次に、本実施の形態に係る装置本体１に外力が加わった場合の動作について説明する。レンズホルダ１２に外力が加わっていない状態では、第１板ばね部材２５は、図９（Ａ）に示すように、第２延出片２５３の先端部がストッパ部１２２から離間した状態にある。そして、図９（Ｂ）の矢印ＡＲ１に示すように、レンズアレイ２４が上方に移動することにより第１板ばね部材２５の第２延出片２５３の先端部が上方へ変位すると、第１板ばね部材２５は、固定片２５１の挟持片２５１ａと第１延出片２５２とのなす角度θ１が広がるように弾性変形する。そして、第２延出片２５３の先端部が弾性域にてストッパ部１２２に当接することで第１板ばね部材２５の塑性変形が規制される。
【００２７】
ここで、第２延出片２５３の先端部がストッパ部１２２に当接したときのレンズアレイ２４のレンズアレイ本体２４０上面とストッパ部１２２の下面との間の距離をＬ１、第２延出片２５３の長さをＬ２、第１延出片２５２と第２延出片２５３とのなす角度をθ２とする。また、挟持片２５１ａと第１延出片２５２とのなす角度θ１に対する弾性限界に相当する角度をθ１ｔｈとする。この場合、下記式（１）の関係式が成立する。
θ１＝θ２−θ３＝θ２−ａｒｃｃｏｓ（Ｌ１／Ｌ２）＜θ１ｔｈ・・・式（１）
即ち、第２延出片２５３の長さＬ２と第１延出片２５２と第２延出片２５３とのなす角度θ２とは、距離Ｌ１に応じて、式（１）の関係式に基づいて設定される。例えば距離Ｌ１が１０ｍｍに設定され、角度θ１ｔｈが８０°であるとする。この場合、角度θ２を１２０°にすると、第２延出片２５３の長さＬ２は１３ｍｍよりも長く設定すればよい。
【００２８】
また、カバー１４に外力が加わっていない状態では、第２板ばね部材２３は、図１０（Ａ）に示すように、第４延出片２３３の先端部がカバー１４の底壁１４０ａから離間した状態にある。そして、図１０（Ｂ）の矢印ＡＲ２に示すように、集光レンズ１６が上方へ移動すると、第２板ばね部材２３は、主片２３１ｃと第３延出片２３２とのなす角度θ１１が広がるように弾性変形する。そして、第４延出片２３３の先端部が底壁１４０ａに当接すると第２板ばね部材２３の変形が規制される。
【００２９】
ここで、第４延出片２３３の先端部が底壁１４０ａに当接したときの集光レンズ１６のフランジ部１６２の上面と底壁１４０ａの下面との間の距離をＬ１１、第４延出片２３３の長さをＬ１２、第３延出片２３２と第４延出片２３３とのなす角度をθ１２とする。また、主片２３１ｃと第３延出片２３２とのなす角度θ１１に対する弾性限界をθ１１ｔｈとする。この場合、下記式（２）の関係式が成立する。
θ１１＝θ１２−θ１３＋９０°
＝θ１２−ａｒｃｃｏｓ（Ｌ１１／Ｌ１２）＋９０°＜θ１１ｔｈ・・・式（２）
即ち、第４延出片２３３の長さＬ１２と第３延出片２３２と第４延出片２３３とのなす角度θ１２とは、距離Ｌ１１に応じて、式（２）の関係式に基づいて設定される。例えば距離Ｌ１１が１０ｍｍに設定され、角度θ１１ｔｈが１７０°であるとする。この場合、角度θ１２を１２０°にすると、第４延出片２３３の長さＬ１２は１３ｍｍよりも長く設定すればよい。
【００３０】
以上説明したように、本実施の形態に係る装置本体１では、第１板ばね部材２５が、レンズアレイ２４を、回路基板１１に向けて付勢し、ストッパ部１２２が、第１板ばね部材２５に当接することで第１板ばね部材２５の塑性変形を抑制する。これにより、レンズアレイ２４が回路基板１１に比較的堅固に固定されるので、レンズアレイ２４の位置ずれを防止でき、レンズアレイ２４の位置決め精度も向上させることができる。また、ストッパ部１２２を備えることにより、第１板ばね部材２５の塑性変形に起因したレンズアレイ２４と集光レンズ１６との位置関係のずれの発生を抑制することができる。そして、このようにレンズアレイ２４と集光レンズ１６の位置関係のずれの発生が抑制されることで、表示像の輝度ムラを防止することができるという利点がある。
【００３１】
ところで、車両に搭載される照明装置として、レンズと内側にレンズの周縁部が嵌め込まれる溝部が形成されたレンズホルダとを備え、溝部の内側面とレンズの周縁部との間にばね体を介在させることにより、バックライトに加わる衝撃のレンズへの伝達を緩和している照明装置が考えられる。この種の照明装置では、衝撃による塑性変形が防止される程度に剛性を高めることが必要である。しかしながら、ばね体の剛性を高めるとそれに伴いばね体自体が大型化してしまう。そうすると、ばね体を含むバックライト全体の小型化が難しくなる虞がある。
【００３２】
これに対して、本実施の形態に係る装置本体１では、レンズアレイ２４が上方へ移動した場合、第２延出片２５３の先端部がストッパ部１２２に当接することにより第１板ばね部材２５の塑性変形が抑制される。また、集光レンズ１６が上方へ移動した場合、第４延出片２３３の先端部が底壁１４０ａに当接することにより第２板ばね部材２３の塑性変形が抑制される。これにより、板ばね部材２３、２５として比較的剛性の低いものを使用しても、板ばね部材２３、２５が塑性変形することを抑制できる。そして、板ばね部材２３、２５として比較的剛性の低いものを使用できる分、板ばね部材２３、２５を小型化することができるので、装置本体１全体の小型化が図れる。
【００３３】
また、本実施の形態では、第１板ばね部材２５に第２延出片２５３を設けてストッパ部１２２を上側から第２延出片２５３の先端部に対向する形で配置することにより第１板ばね部材２５の塑性変形を抑制する構造を実現している。更に、第２板ばね部材２３に第４延出片２３３を設けることにより第２板ばね部材２３の塑性変形を抑制する構造を実現している。これらのように、比較的簡単な構造で板ばね部材２３、２５の過度の変形を規制するので、装置本体１の構造の簡素化が図られ装置本体１の組立作業を容易にできるという利点がある。
【００３４】
また、本実施の形態に係る装置本体１では、図１１に示すように、レンズホルダ１２が突起部１２１を有する。一方、ヒートシンク２は、図１２に示すように、取付面２ａにおけるレンズホルダ１２の位置を規定する孔（位置決め用孔）２０４を有する。そして、レンズホルダ１２が、突起部１２１の先端部が孔２０４に嵌入される形でヒートシンク２の取付面２ａに載置されることによりレンズホルダ１２の位置決めを行うことができる。この突起部１２１の孔２０４に嵌入された部分の長さＬ３１は、レンズホルダ１２が取付面２ａに対して予め設定された角度の範囲内で所定の角度だけ傾いた場合に孔２０４から離脱しない長さに設定されている。例えば、２つの螺子２１のうち突起部１２１からの距離が遠い方の螺子２１と突起部１２１との間の距離をＬ４１とし、予め設定された角度の範囲を０〜θ４１ｔｈ［ｒａｄ］とする。この場合、長さＬ３１は、下記式（３）の関係式が成立するように設定される。
Ｌ４１×ｔａｎθ４１ｔｈ＜Ｌ３１・・・式（３）
例えば距離Ｌ４１が１００ｍｍに設定され、予め設定された角度の範囲の上限を規定する角度θ１１ｔｈが５°であるとする。この場合、突起部１２１の孔２０４に嵌入された部分の長さＬ３１は、８．７ｍｍよりも長く設定すればよい。
【００３５】
この場合、照明装置を組み立てる作業者が、２つの螺子２１のうち突起部１２１からの距離が遠い方の螺子２１を締め過ぎて、レンズホルダ１２が取付面２ａに対してθ４１ｔｈ未満の所定の角度だけ傾いたとしても突起部１２１は孔２０４から抜けない。従って、突起部１２１が孔２０４から抜けてしまうことに起因したレンズホルダ１２の位置ずれが防止される。
【００３６】
このように、照明装置を組み立てる作業者がレンズホルダ１２をヒートシンク２に固定する際におけるレンズホルダ１２の位置ずれを抑制することができるので、照明装置の組立作業の円滑化を図ることができる。
【００３７】
［変形例］
以上、本発明の実施の形態について説明したが、本発明は前述の実施の形態の構成に限定されるものではない。例えば、図１３に示すように、カバー１４の底壁１４０ａにおける第２板ばね部材２３の第４延出片２３３の先端部に対向する位置に、突起部１４０ｄが設けられている構成であってもよい。この場合、第４延出片２３３の先端部が突起部１４０ｄの下面に当接すると、第２板ばね部材２３の変形が規制される。
【００３８】
本構成によれば、突起部１４０ｄの突出量を適宜設定することにより、第２板ばね部材２３の変形可能な範囲を設定することができる。従って、第２板ばね部材２３の変形可能な範囲を、第２板ばね部材２３の大きさや形状、材料に応じた最適な範囲にすることができる。
【符号の説明】
【００３９】
１：装置本体、２：ヒートシンク、２ａ：取付面、１１：回路基板、１２：レンズホルダ、１４：カバー、１６：集光レンズ、２１：螺子、２２：拡散板、２３：第２板ばね部材、２５：第１板ばね部材、２４：レンズアレイ、１１１，１２５，１６４，２２１：貫通孔、１４０：カバー本体、２４０：レンズアレイ本体、１２０ａ，１４０ａ：底壁、１２０ｂ，１４０ｂ：側壁、１２０ｃ，１４０ｃ：開口部、１２１，１２３，１４０ｄ，２４４，２４５：突起部、１２２：ストッパ部、１２６：保持部、１４１：保護リブ、１４２：脚部、１４３：フック部、１６１，２４０ａ：レンズ部、１６２：フランジ部、１６３，２４１，２４２，２４３：支柱部、２０１，２０３，２０４：孔、２０２：螺子孔、２３１，２５１：固定片、２３１ａ，２３１ｂ，２５１ａ，２５１ｂ：挟持片、２３１ｃ：主片、２３２：第３延出片、２３３：第４延出片、２５２：第１延出片、２５３：第２延出片
【図１】
0006753062.tif 000002
【図２】
0006753062.tif 000003
【図３】
0006753062.tif 000004
【図４】
0006753062.tif 000005
【図５】
0006753062.tif 000006
【図６】
0006753062.tif 000007
【図７】
0006753062.tif 000008
【図８】
0006753062.tif 000009
【図９】
0006753062.tif 000010
【図１０】
0006753062.tif 000011
【図１１】
0006753062.tif 000012
【図１２】
0006753062.tif 000013
【図１３】
0006753062.tif 000014